(57)【要約】【課題】複数の絵柄を可変表示可能な可変表示手段とは別に遊技台へ設ける表示装置による斬新な演出態様を可能とし、表示装置によるインパクトを高める。【解決手段】スロットマシンに設けられる表示装置たるＬＣＤ６００の前面に、ＬＣＤ６００の表示領域を挟んで左右両側方に一対の扉部材１０１０，１０１０を設置し、扉部材１０１０には遮蔽部１０１１を形成すると共に案内部材１０２０を一体的に設け、該案内部材１０２０に形成したラック１０２１に、モーターＭによって駆動されるピニオンギヤＰを噛み合わせ、モーターＭを正逆回転させることで、横方向へ移動する扉部材１１０がＬＣＤ６００の表示領域を遮蔽したり開放したりする。【選択図】図３
2005040413.tif 000002
【特許請求の範囲】
【請求項１】
複数の絵柄を可変表示可能な可変表示手段と、
前記可変表示手段とは別個に設けられ、各種情報を表示可能な表示手段と、
遊技の進行に応じて前記表示手段への表示内容を制御する表示制御手段と、
を有する遊技台であって、
前記表示手段の表示領域を所定の範囲に渡り遮蔽可能な遮蔽手段と、
前記遮蔽手段を前記表示領域の前面で直線往復移動させる移動手段と、
前記移動手段を制御する制御手段と、
を備えことを特徴とする遊技台。
【請求項２】
前記移動手段は、前記遮蔽手段に直線往復移動させる駆動力を伝達するための伝達手段と、前記伝達手段に駆動力を与えるための駆動手段と、を備えて構成されることを特徴とする請求項１に記載の遊技台。
【請求項３】
前記移動手段は、透光性を有するシートで構成した無端シートベルトと、前記無端シートベルトを循環するための案内ロールと、前記案内ロールのいずれかを駆動して前記無端シートベルトを循環させる駆動手段と、を備えて構成されることを特徴とする請求項１に記載の遊技台。
【請求項４】
複数の絵柄を可変表示可能な可変表示手段と、
前記可変表示手段とは別個に設けられ、各種情報を表示可能な表示手段と、
遊技の進行に応じて前記表示手段への表示内容を制御する表示制御手段と、
を有する遊技台であって、
前記表示手段の表示領域を所定の範囲に渡り遮蔽可能な遮蔽手段と、
前記遮蔽手段を前記表示領域の前面で該表示領域を通過させる軌道上に正逆回転させる回転手段と、
前記回転手段を制御する制御手段と、
を備えことを特徴とする遊技台。
【請求項５】
前記回転手段は、前記遮蔽手段が表示領域を通過する軌道上を含み正逆回転可能な回転板と、前記回転板を回転させる駆動手段と、を備えて構成されることを特徴とする請求項４に記載の遊技台。
【請求項６】
前記回転板が、柔軟性を有する円形シートと、前記円形シートの周囲に設けられ、前記円形シートを案内するシート案内部材とで構成されることを特徴とする請求項５に記載の遊技台。
【請求項７】
前記回転板は、所定の回転角度毎に複数に分割され重合して収納されていると共に、隣設した前記回転板同士を所定の回転角度で互いに係止して連結する係止手段を形成し、いずれか１の前記回転板を駆動手段にて回転させることで、前記駆動手段により駆動される回転板に連結された他の回転板が追随して回転する構成としたことを特徴とする請求項５に記載の遊技台。
【請求項８】
複数の絵柄を可変表示可能な可変表示手段と、
前記可変表示手段とは別個に設けられ、各種情報を表示可能な表示手段と、
遊技の進行に応じて前記表示手段への表示内容を制御する表示制御手段と、
を有する遊技台であって、
前記表示手段の表示領域を所定の範囲に渡り遮蔽可能な遮蔽手段と、
前記遮蔽手段を前記表示領域の前後方向に揺動させる揺動手段と、
前記揺動手段を制御する制御手段と、
を備えことを特徴とする遊技台。
【請求項９】
前記揺動手段は、表示領域の前後方向に揺動させるために前記遮蔽手段に設けた揺動軸と、前記揺動軸を回転駆動するための駆動手段と、を備えて構成されることを特徴とする請求項８に記載の遊技台。
【請求項１０】
前記揺動手段は、表示領域の前後方向に揺動させるために前記遮蔽手段に設けた揺動軸と、前記揺動軸を回転中心として前記表示装置へ付勢する付勢手段と、前記制御手段に制御され前記表示装置を前記遮蔽手段側に移動させる移動手段とで構成され、前記移動手段により前記表示装置が前記遮蔽手段を押出すことで前記遮蔽手段を揺動させることを特徴とする請求項８に記載の遊技台。
【請求項１１】
前記遮蔽手段は、
表示領域の側方側に揺動可能に立設された固定軸と、
前記固定軸に平行に設けられ表示領域の所定の範囲まで移動可能に設けられた移動軸と、
前記移動軸と前記固定軸との間に平行に設けられた屈曲軸と、
前記移動軸と前記屈曲軸及び前記屈曲軸と前記固定軸とを架渡して設けられ、表示領域を遮蔽する遮蔽板と、
から構成し、
前記揺動手段は、
前記移動軸と屈曲軸と固定軸が平行な状態を保ったまま移動軸を固定軸へ近づけ或いは遠ざける移動手段とし、
移動軸の移動に伴って遮蔽板を揺動させるようにしたことを特徴とする請求項８に記載の遊技台。
【請求項１２】
複数の絵柄を可変表示可能な可変表示手段と、
前記可変表示手段とは別個に設けられ、各種情報を表示可能な表示手段と、
遊技の進行に応じて前記表示手段への表示内容を制御する表示制御手段と、
を有する遊技台であって、
前記表示手段の表示領域を所定の範囲に渡り遮蔽可能な遮蔽手段と、
前記遮蔽手段を前記表示領域の前方で移動させるリールユニットと、
前記リールユニットの回転を制御する制御手段と、
を備えことを特徴とする遊技台。
【請求項１３】
複数の絵柄を可変表示可能な可変表示手段と、
前記可変表示手段とは別個に設けられ、各種情報を表示可能な表示手段と、
遊技の進行に応じて前記表示手段への表示内容を制御する表示制御手段と、
を有する遊技台であって、
前記表示手段の表示領域を所定の範囲に渡り遮蔽可能な面積を有する幕材と、
前記幕材を表示領域の端部方向に移動させる移動手段と、
前記移動手段を制御する制御手段と、
を備えことを特徴とする遊技台。
【請求項１４】
複数の絵柄を可変表示可能な可変表示手段と、
前記可変表示手段とは別個に設けられ、各種情報を表示可能な表示手段と、
遊技の進行に応じて前記表示手段への表示内容を制御する表示制御手段と、
を有する遊技台であって、
前記表示手段の表示領域の前面に所定位置を中心位置に放射状に配置された複数の遮蔽部材と、
前記遮蔽部材の各々を前記中心位置から外向きに同一量づつ退避させる移動手段と、
前記移動手段を制御する制御手段と、
を備えことを特徴とする遊技台。
【請求項１５】
複数の絵柄を可変表示可能な可変表示手段と、
前記可変表示手段とは別個に設けられ、各種情報を表示可能な表示手段と、
遊技の進行に応じて前記表示手段への表示内容を制御する表示制御手段と、
を有する遊技台であって、
前記表示手段の表示領域の前面に該表示領域の形状に合わせて積み上げられた複数のブロック部材で構成された遮蔽部材と、
前記ブロック部材の所定数毎に該ブロック部材の内部に挿通され、一定の張力を保持することで前記表示領域を遮蔽する遮蔽部材としての形態を維持させる柔軟性のある線材と、前記線材に一定の張力を与え、或いは張力を開放させる状態変換手段と、
前記状態変換手段の張力保持或いは張力開放を制御する制御手段と、
を備えことを特徴とする遊技台。
【発明の詳細な説明】
【技術分野】
【０００１】
本発明は、スロットマシン（パチスロ）に代表される遊技台の演出表示に関する。
【背景技術】
【０００２】
スロットマシン等の遊技台は、遊技の期待感を高めることを目的とした演出を、別個に設けられた液晶表示装置や演出専用のリール等を用いて行っている。特に、液晶表示装置を搭載したタイプのスロットマシンは、画面上に様々なキャラクタ等を表示して多彩な演出を遂行することが可能であり、多くの機種に採用されている。
【０００３】
また、液晶表示装置の画面の前面に開閉自在な扉を配置し、画面の前面で扉を動かすことによって遊技者の注意を喚起し、表示内容の見落とし等を減少させるようにしたスロットマシンも提案されている（特許文献１参照）。
【０００４】
【特許文献１】特開２００１−３４６９３５号公報（第１０頁、第１０図）
【０００５】
しかしながら、上記特許文献１に記載の技術では、液晶表示装置の前面に扉を取り付けるといった斬新な趣向が盛り込まれているものの、扉の動作自体は比較的単調な動作に終始するため、遊技者へのインパクトは必ずしも十分と言えなかった。
【発明の開示】
【発明が解決しようとする課題】
【０００６】
本発明が解決しようとする課題は、遊技台の表示装置に遮蔽機構を設け、表示装置と遮蔽機構の動作とを組み合せて、遊技者の興趣を高め得る斬新な演出態様を実行可能とすることである。
【課題を解決するための手段】
【０００７】
上記の課題を解決するために、請求項１に係る発明は、複数の絵柄を可変表示可能な可変表示手段と、前記可変表示手段とは別個に設けられ、各種情報を表示可能な表示手段と、遊技の進行に応じて前記表示手段への表示内容を制御する表示制御手段と、を有する遊技台であって、前記表示手段の表示領域を所定の範囲に渡り遮蔽可能な遮蔽手段と、前記遮蔽手段を前記表示領域の前面で直線往復移動させる移動手段と、前記移動手段を制御する制御手段と、を備えことを特徴とする。
【０００８】
また、請求項２に係る発明は、上記請求項１に記載の遊技台において、前記移動手段は、前記遮蔽手段に直線往復移動させる駆動力を伝達するための伝達手段と、前記伝達手段に駆動力を与えるための駆動手段と、を備えて構成されることを特徴とする。
【０００９】
また、請求項３に係る発明は、上記請求項１に記載の遊技台において、前記移動手段は、透光性を有するシートで構成した無端シートベルトと、前記無端シートベルトを循環するための案内ロールと、前記案内ロールのいずれかを駆動して前記無端シートベルトを循環させる駆動手段と、を備えて構成されることを特徴とする。
【００１０】
上記の課題を解決するために請求項４に係る発明は、複数の絵柄を可変表示可能な可変表示手段と、前記可変表示手段とは別個に設けられ、各種情報を表示可能な表示手段と、遊技の進行に応じて前記表示手段への表示内容を制御する表示制御手段と、を有する遊技台であって、前記表示手段の表示領域を所定の範囲に渡り遮蔽可能な遮蔽手段と、前記遮蔽手段を前記表示領域の前面で該表示領域を通過させる軌道上に正逆回転させる回転手段と、前記回転手段を制御する制御手段と、を備えことを特徴とする。
【００１１】
また、請求項５に係る発明は、上記請求項４に記載の遊技台において、前記回転手段は、前記遮蔽手段が表示領域を通過する軌道上を含み正逆回転可能な回転板と、前記回転板を回転させる駆動手段と、を備えて構成されることを特徴とする。
【００１２】
また、請求項６に係る発明は、上記請求項５に記載の遊技台において、前記回転板が、柔軟性を有する円形シートと、前記円形シートの周囲に設けられ、前記円形シートを案内するシート案内部材とで構成されることを特徴とする。
【００１３】
また、請求項７に係る発明は、上記請求項５に記載の遊技台において、前記回転板は、所定の回転角度毎に複数に分割され重合して収納されていると共に、隣設した前記回転板同士を所定の回転角度で互いに係止して連結する係止手段を形成し、いずれか１の前記回転板を駆動手段にて回転させることで、前記駆動手段により駆動される回転板に連結された他の回転板が追随して回転する構成としたことを特徴とする。
【００１４】
上記の課題を解決するために、請求項８に係る発明は、複数の絵柄を可変表示可能な可変表示手段と、前記可変表示手段とは別個に設けられ、各種情報を表示可能な表示手段と、遊技の進行に応じて前記表示手段への表示内容を制御する表示制御手段と、を有する遊技台であって、前記表示手段の表示領域を所定の範囲に渡り遮蔽可能な遮蔽手段と、前記遮蔽手段を前記表示領域の前後方向に揺動させる揺動手段と、前記揺動手段を制御する制御手段と、を備えことを特徴とする。
【００１５】
また、請求項９に係る発明は、上記請求項８に記載の遊技台において、前記揺動手段は、表示領域の前後方向に揺動させるために前記遮蔽手段に設けた揺動軸と、前記揺動軸を回転駆動するための駆動手段と、を備えて構成されることを特徴とする。
【００１６】
また、請求項１０に係る発明は、上記請求項８に記載の遊技台において、前記揺動手段は、表示領域の前後方向に揺動させるために前記遮蔽手段に設けた揺動軸と、前記揺動軸を回転中心として前記表示装置へ付勢する付勢手段と、前記制御手段に制御され前記表示装置を前記遮蔽手段側に移動させる移動手段とで構成され、前記移動手段により前記表示装置が前記遮蔽手段を押出すことで前記遮蔽手段を揺動させることを特徴とする。
【００１７】
また、請求項１１に係る発明は、上記請求項８に記載の遊技台において、前記遮蔽手段は、表示領域の側方側に揺動可能に立設された固定軸と、前記固定軸に平行に設けられ表示領域の所定の範囲まで移動可能に設けられた移動軸と、前記移動軸と前記固定軸との間に平行に設けられた屈曲軸と、前記移動軸と前記屈曲軸及び前記屈曲軸と前記固定軸とを架渡して設けられ、表示領域を遮蔽する遮蔽板と、から構成し、前記揺動手段は、前記移動軸と屈曲軸と固定軸が平行な状態を保ったまま移動軸を固定軸へ近づけ或いは遠ざける移動手段とし、移動軸の移動に伴って遮蔽板を揺動させるようにしたことを特徴とする。
【００１８】
上記の課題を解決するために、請求項１２に係る発明は、複数の絵柄を可変表示可能な可変表示手段と、前記可変表示手段とは別個に設けられ、各種情報を表示可能な表示手段と、遊技の進行に応じて前記表示手段への表示内容を制御する表示制御手段と、を有する遊技台であって、前記表示手段の表示領域を所定の範囲に渡り遮蔽可能な遮蔽手段と、前記遮蔽手段を前記表示領域の前方で移動させるリールユニットと、前記リールユニットの回転を制御する制御手段と、を備えことを特徴とする。
【００１９】
上記の課題を解決するために、請求項１３に係る発明は、複数の絵柄を可変表示可能な可変表示手段と、前記可変表示手段とは別個に設けられ、各種情報を表示可能な表示手段と、遊技の進行に応じて前記表示手段への表示内容を制御する表示制御手段と、を有する遊技台であって、前記表示手段の表示領域を所定の範囲に渡り遮蔽可能な面積を有する幕材と、前記幕材を表示領域の端部方向に移動させる移動手段と、前記移動手段を制御する制御手段と、を備えことを特徴とする。
【００２０】
上記の課題を解決するために、請求項１４に係る発明は、複数の絵柄を可変表示可能な可変表示手段と、前記可変表示手段とは別個に設けられ、各種情報を表示可能な表示手段と、遊技の進行に応じて前記表示手段への表示内容を制御する表示制御手段と、を有する遊技台であって、前記表示手段の表示領域の前面に所定位置を中心位置に放射状に配置された複数の遮蔽部材と、前記遮蔽部材の各々を前記中心位置から外向きに同一量づつ退避させる移動手段と、前記移動手段を制御する制御手段と、を備えことを特徴とする。
【００２１】
上記の課題を解決するために、請求項１５に係る発明は、複数の絵柄を可変表示可能な可変表示手段と、前記可変表示手段とは別個に設けられ、各種情報を表示可能な表示手段と、遊技の進行に応じて前記表示手段への表示内容を制御する表示制御手段と、を有する遊技台であって、前記表示手段の表示領域の前面に該表示領域の形状に合わせて積み上げられた複数のブロック部材で構成された遮蔽部材と、前記ブロック部材の所定数毎に該ブロック部材の内部に挿通され、一定の張力を保持することで前記表示領域を遮蔽する遮蔽部材としての形態を維持させる柔軟性のある線材と、前記線材に一定の張力を与え、或いは張力を開放させる状態変換手段と、前記状態変換手段の張力保持或いは張力開放を制御する制御手段と、を備えことを特徴とする。
【発明の効果】
【００２２】
請求項１〜請求項３に係る遊技台によれば、遮蔽手段を移動手段により直線往復移動させて、表示領域を遮蔽したり開放したりできるので、表示領域の手前で襖や障子が閉まったり開いたりするような、従来にない斬新な演出態様で表示装置によるインパクトを高めることができる。
【００２３】
請求項４〜請求項６に係る遊技台によれば、回転手段により遮蔽手段を表示領域の前面で該表示領域を通過させる軌道上に正逆回転させ、表示領域を遮蔽したり開放したりできるので、表示領域の手前で扇子や扇が開いたり閉まったりするような、従来にない斬新な演出態様で表示装置によるインパクトを高めることができる。
【００２４】
請求項８〜請求項１１に係る遊技台によれば、表示領域の手前で、表示手段の表示領域を所定の範囲に渡り遮蔽可能な遮蔽手段を、揺動手段により前後方向に揺動させ、表示領域を遮蔽したり開放したりできるので、引き戸や屏風が開いたり閉じたりするような、従来にない斬新な演出態様で表示装置によるインパクトを高めることができる。
【００２５】
請求項１２に係る遊技台によれば、表示手段の表示領域を所定の範囲に渡り遮蔽可能な遮蔽手段を、リールユニットによって表示領域の前方で移動させるので、円周上を移動する遮蔽部材の位置によって表示領域を遮蔽したり開放したりでき、従来にない斬新な演出態様で表示装置によるインパクトを高めることができる。
【００２６】
請求項１３に係る遊技台によれば、表示手段の表示領域を所定の範囲に渡り遮蔽可能な面積を有する幕材を、移動手段により表示領域の端部方向に移動させ、表示領域を遮蔽したり開放したりできるので、アコーディオンカーテンが上に開いたり劇場の幕が横に開いたりするような、従来にない斬新な演出態様で表示装置によるインパクトを高めることができる。
【００２７】
請求項１４に係る遊技台によれば、表示手段の表示領域の前面に所定位置を中心位置に放射状に配置された複数の遮蔽部材の各々を、移動手段により中心位置から外向きに同一量づつ退避させ、表示領域を遮蔽したり開放したりできるので、従来にない斬新な演出態様で表示装置によるインパクトを高めることができる。
【００２８】
請求項１５に係る遊技台によれば、表示手段の表示領域の前面に該表示領域の形状に合わせて積み上げられた複数のブロック部材で構成された遮蔽部材の内部に挿通された線材を、状態変換手段により一定の張力を与え、或いは張力を開放させて、表示領域を遮蔽したり開放したりできるので、表示領域の手前でブロックが積み上がったり崩れたりするような、従来にない斬新な演出態様で表示装置によるインパクトを高めることができる。
【発明を実施するための最良の形態】
【００２９】
以下、本発明の実施形態を、添付図面に基づいて詳細に説明する。
【００３０】
〈全体の構成〉
図１は、本発明の一実施形態に係るスロットマシン１００の外観を示す斜視図である。図１に示すように、スロットマシン１００の中央内部には、外周面に複数種類の絵柄（「７」、「Ｂａｒ」、「ベル」、「リプレイ」等の文字や記号：図示省略）を配列した円筒状のリールが３個（左リール１１０、中リール１１１、右リール１１２）収納され、本体２０１の内部で回転できるように構成されている。本体２０１の両サイドには、取手部２０１ｃが設けられ、スロットマシン１００の運搬の際に利用される。
【００３１】
前面扉１０１には、リール表示窓１１３が設けられており、リール１１０〜１１２を正面から眺めると、これに施された絵柄がリール表示窓１１３から縦方向に３つ見えるようになっている。つまり、全リール１１０〜１１２が停止した場合、遊技者は、３×３の合計９個の絵柄を見ることができる。これらのリール１１０〜１１２が回転し、停止することにより、様々な絵柄の組み合せがリール表示窓１１３に表示されることになる。なお、本実施形態では、３個のリールを備えるものとしたが、リールの数やリールの設置位置はこれに限定されるものではない。
【００３２】
各リール１１０〜１１２の裏側には、リール表示窓１１３上に表示される個々の絵柄を照らすためのバックライト（図示せず）が配置されている。バックライトは、例えば、７色（赤、緑、青紫の三原色と、白色等をはじめとするこれらの混合色）の光を発することが可能であり、各原色に対応したＬＥＤ等を含んで構成される。
【００３３】
入賞ライン表示ランプ１２０は、遊技毎に有効となる入賞ライン１１４を示すランプである。有効となる入賞ライン１１４は、スロットマシン１００に投入された遊技媒体（本実施形態ではメダルを想定する。）の枚数によって変化する。例えば、図１に示すように５本の入賞ライン１１４を有する場合、メダルを１枚投入したときは中段の水平入賞ライン、２枚投入したときは、上段の水平入賞ラインおよび下段の水平入賞ラインを加えた３つの入賞ライン、３枚投入したときは更に２本の斜めの入賞ラインを加えた５ラインが有効となり、有効な入賞ライン１１４上に揃った絵柄の組み合せにより入賞が判断されることとなる。勿論、入賞ラインの数は５本に限定されるものではない。
【００３４】
スタートランプ１２１は、リール１１０〜１１２が回転することができる状態にあることを遊技者に知らせるランプである。再遊技ランプ１２２は、入賞役である再遊技に入賞したとき（例えば、リプレイ−リプレイ−リプレイの再遊技絵柄の組み合せが入賞ライン１１４上に揃ったとき）、遊技者へ次の遊技が再遊技であることを知らせるランプである。再遊技の場合、次遊技において遊技媒体であるメダルの投入が免除される。
【００３５】
告知ランプ１２３は、特別な入賞役（例えば、ビッグボーナス（ＢＢ）やレギュラーボーナス（ＲＢ））に内部当選した状態にあることを遊技者に報知するランプである。メダル投入ランプ１２４は、遊技開始にあたって遊技者にメダルの投入が必要であることを報知するランプである。
【００３６】
メダル投入枚数表示ランプ１２５は、遊技者が投入したメダル枚数を表示するランプである。本実施形態では、１回の遊技に最大３枚までメダル投入できるので、縦に配置した３つのランプを用いてメダル投入枚数を表示している。無論、ランプで表示する他に７セグメント表示器等で直接メダル投入枚数を表示しても良い。
【００３７】
払出枚数表示器１２６は、メダルの払い出しのある何らかの入賞役に入賞したとき、遊技者へ払い出されるメダルの枚数を表示する表示器である。遊技回数表示器１２７は、ビッグボーナスゲーム中の一般ゲームの回数等を表示する表示器である。貯留枚数表示器１２８は、電子的に貯留（クレジット）しているメダルの枚数を表示する表示器である。演出用ランプ１２９は、遊技の興趣を高めるための演出に使用されるランプである。
【００３８】
メダル投入ボタン１３１、１３２は、貯留されたメダルをスロットマシン１００へ電子的に投入するための投入ボタンであり、いわゆるベットボタンと呼ばれているものである。本実施形態では、最大メダル投入ボタン１３１（いわゆるマックスベットボタン）と、１回押下するごとに１枚のメダルを投入する１枚メダル投入ボタン１３２とを有し、これらのボタンのいずれかを押下することにより遊技に必要な１〜３枚のメダルがスロットマシン１００へ電子的に投入される。２枚のメダルを投入する場合は、１枚メダル投入ボタン１３１を２回押下することとなる。投入されたメダル枚数分は、現在の貯留枚数から減算されて残枚数が貯留枚数表示器１２８に表示される。
【００３９】
メダル投入口ブロック１３３は、遊技を開始するに当たって遊技者が直接メダルを投入するための開口を有する。メダルを直接投入した際に、メダル投入口直下にあるメダルセレクターユニット（図示せず）内にメダルが詰まってしまった場合は、メダルキャンセルスイッチ１３３ａを操作することによってメダルの詰まりを解消させる。スタートレバー１３５は、遊技の開始操作として、リール１１０〜１１２の回転を開始させるレバー型のスイッチである。
【００４０】
ストップボタンユニット１３６には、３つのストップボタン１３６ａ〜１３６ｃが設けられている。各ストップボタンは、押下することによって対応するリール１１０〜１１２を停止させるボタン型のスイッチである。１３６ａを操作することによって左リール１１０が、１３６ｂを操作することによって中リール１１１が、１３６ｃを操作することによって右リール１１２がそれぞれ停止する。
【００４１】
各ストップボタンの内部にはランプ（図示せず）が設けられており、スタートレバー１３５が操作された後、リール１１０〜１１２の停止操作が可能な状態になると全ランプが点灯し、遊技者に停止操作が可能になったことを報知する。各ストップボタンのランプは各ストップボタンが押下される毎に消灯する。無論、停止操作可能な状態とその他の状態とでランプの発光色を変化させるように構成することもできる。
【００４２】
精算ボタン１３８は、遊技者が獲得したメダルを精算して排出する精算処理を行う場合に押下されるボタンである。なお、精算ボタン１３８は、遊技者がメダル投入口ブロック１３３から投入したメダルのうち所定枚数（例えば３枚）以上のメダルまたは入賞により獲得したメダルを最大５０枚まで貯留するか否かを切換える場合にも使用され、例えば、一回精算ボタン押下されて精算処理が行われると、非貯留モードが設定され、もう一度精算ボタン押下されると、貯留モードが設定される。ここに、メダルの貯留とは、メダルを直接払い出さずに、電子的にその枚数を後述する制御部に一時記憶しておくことを意味する。
【００４３】
キー孔１３９は、扉開閉用のキーを差し込む孔で、キーを差し込んで時計方向に回すとロックが解除され、スロットマシン１００の前面扉１０１を開けることができる。メダル排出口１６５は、メダルを排出するための開口であり、入賞時に払い出されるメダルはここから排出される。排出されたメダルは、受け皿１６０に溜まるようになっている。
【００４４】
上部ランプ１９０、サイドランプ１５１，１５２、中央ランプ１５３，１５４、腰部ランプ１５５，１５６、下部ランプ１５７，１５８は、遊技を盛り上げるための演出用のランプであり、遊技状態に応じて点灯／消灯／点滅する。また、図示を省略したタイトルパネルランプによりタイトルパネル１４０を照明する。本実施形態では、受皿１６０を透光性材料で構成し、受皿取り付け面からランプ光を入射させることで上記演出用のランプと同様の効果を発揮させるように構成している。また、受皿１６０には、着脱可能に構成した灰皿ユニット１７０が設けられている。
【００４５】
遮蔽機構付表示装置は、詳細については後述するが、遊技に関する各種の情報（ゲームを盛り上げるためキャラクタ等を登場させるゲーム画面、スロットマシンの内部で異常が発生した場合にエラーの内容を表示するエラー画面など）を表示することができる。概略的には、中央に表示手段たるＬＣＤ６００が設けられており、ＬＣＤ６００の表示領域の前面に遮蔽機構１０００が設けられている。
【００４６】
遮蔽機構１０００は、図３に示すように、扉部材１０１０と、扉部材１０１０を直線往復動作させるための駆動手段とで構成されている。駆動手段は、扉部材１０１０に一体的に設けられた案内部材１０２０と、案内部材１０２０に設けられたラック１０２１と、ラック１０２１に噛み合わさるピニオンギヤＰと、ピニオンギヤＰを駆動するモーターＭとで構成されている。遮蔽機構１０００は、ＬＣＤ６００の画面をそれぞれが半分づつ遮るまで移動させることができる。モーターＭには、ステッピングモーターが用いられている。このため可動範囲以内であれば、いずれか一方の扉部材１０１０を任意の停止位置及び速度で動作させることができる。
【００４７】
上部ランプ１９０の近傍の左右にスピーカーの音孔（図示せず）を設けている。また、ストップボタンユニット１３６の直下に背面スピーカーからの効果音を出力するための音孔が設けられている。背面スピーカーの音孔には、装飾が施されたスピーカーカバー１７３が装着され、ここから遊技の効果音が出力される。
【００４８】
〈制御ブロック〉
次に、図２を参照して、スロットマシン１００の制御部の構成について詳述する。本実施形態における制御部は、全体を制御する主制御部３００と、遊技を盛り上げるための演出に関する制御等を遂行する副制御部４００と、ＬＣＤ６００を制御するＬＣＤ表示制御部５００とで構成されている。
【００４９】
〈主制御部３００〉
マイクロプロセッサ（以下、ＭａｉｎＣＰＵと称す）３１０は、スロットマシン１００における制御の中枢となるものであり、バス３７０を介して、周辺部との間で制御信号やデータの受渡しが行われる。
【００５０】
乱数発生器３１１は、内部抽選等に用いられる乱数を発生するもので、複数のカウンタ、クロック発振器、分周器及びラッチ回路等で構成される。乱数発生器３１１が発生した乱数値は、バス３７０を介して、ＲＡＭ３１３の乱数記憶領域に記憶され、必要に応じてＭａｉｎＣＰＵ３１０へ送られる。
【００５１】
ＭａｉｎＣＰＵ３１０には、入力インターフェース３６０およびバス３７０を介して、メダル投入ブロック１３４の投入口より投入されたメダルを検知するメダルセンサ３２０、スタートレバー１３５の操作を検知するスタートレバーセンサ３２１、ストップボタンのいずれかが押された場合、どのストップボタンが押されたかを検知するストップボタンセンサ３２２、メダル投入ボタン１３１，１３２のいずれかが押下された場合、どのメダル投入ボタンが押されたかを検知するメダル投入ボタンセンサ３２３が接続されている。
【００５２】
ＲＯＭ（リード・オンリー・メモリ）３１２は、各種制御を行うためのプログラムや、各種制御データ等を記憶する記憶手段の一つである。ＭａｉｎＣＰＵ３１０は、バス３７０を介して、プログラムや、各種制御データ等を読み込む。ＲＡＭ（ランダム・アクセス・メモリ）３１３は、バス３７０を介して、ＭａｉｎＣＰＵ３１０によって処理されるプログラムのワークエリアを有し、可変データ等を記憶する記憶手段の一つである。
【００５３】
また、リール１１０〜１１２の回転と停止を行うモーター（図示省略）を制御するモーター制御部３３１、及び、メダル払出装置（いわゆるホッパー：図示省略）を制御するホッパー制御部３３２が、入出力インターフェース３３０及びバス３７０を介してＭａｉｎＣＰＵ３１０に接続されている。
【００５４】
演出用ランプ・表示器類３４１とは、図１で示した入賞ライン表示ランプ１２０、スタートランプ１２１、再遊技ランプ１２２等のランプ類や、払出枚数表示器１２５、遊技回数表示器１２６等の各種表示器をまとめて表したもので、出力インターフェース３４０およびバス３７０を介してＭａｉｎＣＰＵ３１０に接続され制御される。
【００５５】
出力インターフェース３５０は、ＭａｉｎＣＰＵ３１０の指示に基づき、各種のコマンドを副制御部４００の入力インターフェース４３０へ送信する。コマンドには、例えば、メダルが投入されたことを示すコマンド、スタートレバー１３５が操作されたことを示すコマンド、押されたストップボタンを示すコマンド、演出の内容（バックライト、上部ランプ、音声出力、ＬＣＤ表示装置等による演出の内容）を規定したコマンド等がある。
【００５６】
〈副制御部４００〉
マイクロプロセッサ（以下、ＳｕｂＣＰＵと称す）４１０は、主制御部３００から送信された各種コマンドを入力インターフェース４３０およびバス４７０を介して受信し、受信したコマンドの内容に応じて副制御部４００全体を制御する。
【００５７】
ＲＯＭ４１１は、副制御部４００全体を制御するためのプログラムやデータ等を記憶する記憶手段の一つである。ＲＡＭ４１２は、ＳｕｂＣＰＵ４１０で処理されるプログラムのワークエリアを有し、可変データ等を記憶する記憶手段の一つである。
【００５８】
バックライト４２１は、リールの絵柄を照らす発光手段で、ＳｕｂＣＰＵ４１０の指示に従って点灯／点滅／消灯する。演出用発光表示部４２２は、上部ランプ１９０、サイドランプ１５１，１５２、中央ランプ１５３，１５４、腰部ランプ１５５，１５６、下部ランプ１５７，１５８、受け皿ランプをまとめて表したもので、ＳｕｂＣＰＵ４１０の指示に従って点灯／点滅／消灯する。バックライト４２１および演出用発光表示部４２２は、出力インターフェース４２０、バス４７０を介してＳｕｂＣＰＵ４１０と接続されている。
【００５９】
楽音信号形成部４６０は、ＳｕｂＣＰＵ４１０から受け渡された制御データに基づいて、楽音信号を形成して出力する。この楽音信号は、アンプ４６１で増幅された後、スピーカー（具体的には上部スピーカー及び背面スピーカー）４６２から音として出力される。
【００６０】
出力インターフェース４５０は、ＳｕｂＣＰＵ４１０の指示に基づき、各種制御データをＬＣＤ表示制御部５００へ送信する。この制御データに基づいて、ＬＣＤ表示制御部５００は、ＬＣＤ６００を表示制御する。ＬＣＤ表示制御部５００については後述する。
【００６１】
〈ＬＣＤ表示制御部５００〉
ＬＣＤ・扉制御用ＳｕｂＣＰＵ５１０は、副制御部４００から送信された各種コマンドを入出力インターフェース５３０を介して受信し、受信したコマンドの内容に応じてモーター制御部５６０へ制御パルスを出力して遮蔽機構１０００を制御し、ＶＤＰ制御用ＳｕｂＣＰＵ５２０へは画像パターンコマンドを送信し、ＬＣＤ６００の表示制御を行う。
【００６２】
ＲＯＭ５１１は、ＬＣＤ・扉制御用ＳｕｂＣＰＵ５１０の制御プログラムやデータ等を記憶する記憶手段の一つである。
【００６３】
ＶＤＰ制御用ＳｕｂＣＰＵ５２０は、ＬＣＤ・扉制御用ＳｕｂＣＰＵ５１０からの画像パターンコマンドから画像データを特定し、ＬＣＤ６００に表示させるべき画像データをビデオ・ディスプレイ・プロセッサー（以降ＶＤＰ）５５０へ指示する。
【００６４】
ＶＤＰ５５０は、指定された画像データを外部接続されたＲＯＭ５５２から読み込んで描画処理を行うと共にＲＧＢ信号に変換してＬＣＤ６００に表示を行わせる。
【００６５】
モーター制御部５６０は、ＬＣＤ・扉制御用ＳｕｂＣＰＵ５１０からの制御パルスに基づいてモーター駆動パルスを出力することで、遮蔽機構１０００のモーターＭの制御を行う。
【００６６】
次に、本実施形態に係るスロットマシン１００が備える遮蔽機構付表示装置の構成例について説明する。
【００６７】
〈遮蔽機構付表示装置の構成例１〉
図３に示すのは、遮蔽機構付表示装置の構成例１である。遮蔽機構付表示装置は、ＬＣＤ６００と、該ＬＣＤ６００の前面に設けられた遮蔽機構１０００とで構成されている。遮蔽機構１０００は、ＬＣＤ６００の表示領域を挟んで左右両側方に設置されている一対の扉部材１０１０，１０１０と、これら扉部材１０１０を移動させるため駆動手段とで構成されている。
【００６８】
駆動手段は、扉部材１０１０に一体的に設けられた案内部材１０２０と、案内部材１０２０に設けられたラック１０２１と、ラック１０２１に噛み合わさるピニオンギヤＰと、該ピニオンギヤＰを駆動するモーターＭとで構成されている。扉部材１０１０の移動範囲は、ＬＣＤ６００の表示領域の丁度半分までとなっている。したがって、左右の扉部材１０１０により、ＬＣＤ６００の表示領域全体が遮蔽されることになる。本構成例によれば、表示領域の半分を遮蔽する扉部材１０１０を直線往復運動させることで、表示領域の遮蔽および開放を制御できる。
【００６９】
扉部材１０１０は、その上下を図示しないガイドレール等の案内部材によって支持案内され、表示領域を挟むように左右に直線往復移動できるように規制されている。これら扉部材１０１０には、表示領域を遮蔽する遮蔽部１０１１に扉の形態に応じた装飾が施してある。本構成例では、扉部材１０１０を障子戸に見立てて形成しているため、それに応じた格子装飾が行われている。また、扉部材１０１０に所定の形状の凹凸や型抜きを行い、質感のある扉にすることができる。或いは、絵柄（レンガ、襖等）や模様（大理石、木目、金属等）を施したシールを扉部材１０１０に貼り付けることで様々なデザインの扉にすることもできる。
【００７０】
また、扉部材１０１０を個別のモーターＭで駆動することにより、扉部材１０１０を個別に動作させることができる。このためＬＣＤ６００の表示領域を一方の扉部材１０１０で片側の半分のみ遮蔽し、反対側は表示領域がそのまま見えるような遮蔽態様とすることも可能である。また、本構成例では、モーターＭをステッピングモーターとすることで扉部材１０１０を可動範囲以内で任意の停止位置で停止させることや、任意の速度で開閉させることもできる。
【００７１】
更に、本構成例の遮蔽機構付表示装置では、扉部材１０１０を左右ともに同一形状の部材とし、その配置を上下対照にする（例えば、ＬＣＤ６００の表示領域の右側に配置される扉部材１０１０は上部にラック１０２１が位置し、左側に配置される扉部材１０１０は下部にラック１０２１が位置するので、ピニオンギヤＰが取り付けられるモーターＭの軸の向きも上下逆の配置とする）ことで、部品点数の削減とコストダウンを期せる。
【００７２】
〈遮蔽機構付表示装置の構成例２〉
図４は、遮蔽機構付表示装置の他の構成例を示す図である。本図の構成例２では、図３の遮蔽機構１０００をＬＣＤ６００の前面に複数列に渡って配置するものである。遮蔽機構１０００を複数列設けることで、単にＬＣＤ６００の表示領域を遮蔽するのみでなく、扉部材１０１０の種類（遮蔽部１０１１の形態）に応じて意味合いの異なる演出を行わせることができる。この場合、各扉の違いの認識を容易に行わせるために扉部材１０１０の前面に異なる図柄のシール等を貼り付けるとよい。いずれの扉部材１０１０が駆動されたか、いずれの組み合せで駆動されたかで期待度の異なる情報を遊技者に提供することができる。なお、本構成例における扉部材１０１０の駆動手法は、上述した構成例と同様で、横スライド式とした。すなわち、本構成例においても、表示領域の半分を遮蔽する扉部材１０１０を直線往復運動させることで、表示領域の遮蔽および開放を制御できる。また、本構成例においては、左右の一対の扉部材の形状は同じ形状としているので、コスト的にも安価な遮蔽機構となっている。
【００７３】
〈遮蔽機構付表示装置の構成例３〉
図５は、遮蔽機構付表示装置の他の構成例を示す図である。本図の構成例３では、ＬＣＤ６００の表示領域を上下左右に４分割し、各々の表示領域を個別に遮蔽できるように遮蔽機構１０００を設けている。なお、本構成例における扉部材１０１０の駆動手法も、上述した構成例と同様に横スライド式である。すなわち、本構成例においては、表示領域の四分の一を遮蔽する扉部材１０１０を直線往復運動させることで、表示領域の遮蔽および開放を制御できる。また、本構成例においても、扉部材の形状はすべて同じ形状としているので、コスト的にも安価な遮蔽機構となっている。
【００７４】
本構成例のように、ＬＣＤ６００の表示領域を複数の区画に分割し、各区画毎に個別に遮蔽できるように、各区画に対応させて遮蔽機構１０００を個別に設ける構成とすることで、区画毎に表示内容を切り替えて遊技者に見せることができるようになる。例えば、各扉部材１０１０に応じた表示領域に起承転結を表す４コマ漫画画像を表示させておき、遊技操作に応じて起承転結の順に扉部材１０１０を開放させる。最後に開放される扉部材１０１０の表示内容がグッドエンディングかバットエンディングかで特別な入賞役に内部当選していたか否かを報知させるような演出を行わせることができる。
【００７５】
また、表示領域全体では、内部当選絵柄を表示しているが、扉部材１０１０のいくつかが表示領域を遮蔽することで、遊技者にはいずれの入賞絵柄が表示されているのか認識し難くするような演出を行わせることができる。また、各区画毎に入賞絵柄等を表示させ、扉部材１０１０を順次開閉動作させることで遮蔽機構によるルーレット演出を行わせることもできる。
【００７６】
〈遮蔽機構付表示装置の構成例４〉
図６は、遮蔽機構付表示装置の他の構成例を示す図である。本図の構成例４では、左遮蔽機構１０００ａと右遮蔽機構１０００ｂに設けた各扉部材１０１０ａ，１０１０ｂは、表示領域の約１／３程度の表示領域を遮蔽することができる面積しか有していない。そして両扉部材１０１０ａ，１０１０ｂの間には、これらを連結する連結扉部材１０５０が設けられている。
【００７７】
連結扉部材１０５０は、モーターＭ等による駆動は、行われていない。連結扉部材１０５０は、その下部に横長の長孔１０５１が設けてあると共に、該長孔１０５１の例えば右側に裏面側へ突出するピン１０５３を形成してある。一方、連結扉部材１０５０の前側に配される左遮蔽機構１０００ａの扉部材１０１０ａには、上記連結扉部材１０５０の長孔１０５１に嵌まるピン１０５３が裏面側へ突出するように形成してあり、このピン１０５３が連結扉部材１０５０の長孔１０５１に嵌まる。更に、連結扉部材１０５０の裏面側に配される右遮蔽部材１０００ｂの扉部材１０１０ｂには、上記連結扉部材１０５０のピン１０５３が嵌まる長孔１０５１を形成してある。
【００７８】
例えば、ＬＣＤ６００の表示領域が全て遮蔽されている状態で、右遮蔽機構１０００の扉部材１０１０ｂを左側へ移動させると、連結扉部材１０５０のピン１０５３が扉部材１０１０ｂの長孔１０５１の端部に達するまで、連結扉部材１０５０は静止したままであるが、長孔１０５１の端に達した後は、連結扉部材１０５０も扉部材１０１０ｂと同じく左方向へ移動することとなり、表示領域が更に露出されてゆく。そして、左遮蔽機構１０００ａのピン１０５３が連結扉部材１０５０の長孔１０５１の端に達すると同時に、左遮蔽機構１０００ａの扉部材１０１０ａを左側（連結扉部材１０５０および扉部材１０１０ｂと同じ移動方向）へ移動させて行くと、最終的に表示領域を全て露出させるようにすることができる。逆に、表示領域を遮蔽する場合は、上記と逆のサイクルで各々の扉部材１０１０ａ，１０１０ｂ，１０５０を駆動制御すればよい。
【００７９】
これにより、遊技者からは、３枚の扉が右から左へスライドして順次開放したり、３枚の扉が左から右へ順次閉まって行くように見えることとなる。すなわち、本構成例においても、表示領域の三分の一を遮蔽する扉部材１０１０ａ，１１０ｂ，１０５０を直線往復運動させることで、表示領域の遮蔽および開放を制御できる。なお、本構成例の遮蔽機構においては、各扉部材が個別に駆動制御されているため、いずれの扉部材１０１０からでも開閉を行わせることができ、ＬＣＤ６００の表示領域を左から右へ順次開放したり遮蔽したりする駆動制御も可能である。なお、表示領域の開放を右から左方向のみに制限する場合には、右遮蔽機構１０００のｂの案内部材１０２０ｂのみを長く設定しておけばよいが、逆方向の開放も行えるようにする場合には、左遮蔽機構１０００ａの案内部材１０２０ａも長く設定しておく必要がある。
【００８０】
本図の構成例の遮蔽機構で行われる演出形態としては、各扉部材１０１０ａ，１０１０ｂと連結扉部材１０５０の遮蔽面積に応じた３分割の画像表示を行い、各扉部材１０１０ａ，１０１０ｂを扉部材１０１０の１枚分の間隔を空けて同期動作させて１枚の画像のみを遮蔽させる演出を行わせたり、扉部材１０１０の２枚分の間隔をあけて同期動作させて２枚の画像のみを遮蔽させる演出を行わせたりさせることができる。
【００８１】
〈遮蔽機構付表示装置の構成例５〉
図７に遮蔽機構付表示装置の構成例５を示す。本図の構成例では、遮蔽機構付表示装置の遮蔽機構１１００を、昇降扉１１１０と、昇降扉１１１０を前後に挟んで駆動させる一対のローラーユニット１１２０と、ローラーユニット１１２０を駆動するためのモーターＭとから構成している。ローラーユニット１１２０は、駆動ローラー１１２２と、従動ローラー１１２４とで構成され、駆動ローラー１１２２がモーターＭで駆動されることで昇降扉１１１０を昇降させるようになっている。すなわち、本構成例においても、表示領域の半分を遮蔽する扉部材１０１０を直線往復運動させることで、表示領域の遮蔽および開放を制御できる。
【００８２】
従動ローラー１１２４は、図示しないが、ばね等による付勢手段が設けられており、昇降扉１１１０を駆動ローラー１１２２に押し付け、駆動ローラー１１２２の駆動力を効率よく伝達できるようになっている。また、昇降扉１１１０は、板状であるため、駆動ローラー１１２２で昇降できる程度の摩擦係数を有する材質のものであれば、どのようなものでも使用できる。プラスチックに限らず、石材、レンガ、木材等の実物を扉として使用することができる。このため、より質感に優れた扉による演出を行うことができる。また、上下の昇降扉１１１０のどちらか一方を昇降もしくは下降させてＬＣＤ６００の表示面を遮蔽させても良いし、上下から各々同時に昇降扉１１１０を移動させて表示面の中央で扉端縁を突き合わせるような遮蔽動作を行っても良い。或いは、同様の駆動機構により、扉を左右方向からスライド移動させる様にしても良い。
【００８３】
〈遮蔽機構付表示装置の構成例６〉
図８に遮蔽機構付表示装置の他の構成例６を示す。本実施形態の遮蔽機構１２００は、単一のモーターＭを用いて、４枚の扉部材１２１０を異なる方向に開閉させることができるものである。
【００８４】
遮蔽機構１２００は、クランクプレート１２５０の回転運動を伝達棒１２４０により直線運動に変換し、変換された直線運動を連結棒１２３０により扉部材１２１０に伝えることで開閉を行わせるようになっている。すなわち、本構成例においては、表示領域の四分の一を遮蔽する４つの扉部材１０１０を各々直線往復運動させることで、表示領域の遮蔽および開放を制御できる。
【００８５】
具体的には、クランクプレート１２５０が、矢印の方向に回転する。クランクプレート１２５０と伝達棒１２４０とは、連結部１２４５で回転自在に連結されており、クランクプレート１２５０の回転運動により伝達棒１２４０は回転方向に押し出される。伝達棒１２４０の連結部１２４５の反対側は、扉部材１２１０と伝達棒１２４０とを連結する連結棒１２３０が設けられている。扉部材１２１０及び伝達棒１２４０には、連結棒１２３０を取り付けるための取付部１２２５が設けられており、ここに連結棒１２３０が回転自在に取り付けられている。
【００８６】
また扉部材１２１０は、ガイド孔１２１３が設けられており、その移動方向をガイド孔１２１３に挿入されるガイド棒１２２０によって規制されている。このため扉部材１２１０は、ガイド棒１２２０に沿って移動する。伝達棒１２４０の取付部１２２５側は、連結棒１２３０を介して扉部材１２１０のガイド棒１２２０に規制されるため直線運動と連結棒１２３０のねじり運動とに変換される。ねじり運動に関しては取付部１２２５が回転可能になっているため扉部材１２１０に伝達されることはなく、直線運動のみが扉部材１２１０に伝達され、矢印の方向に各扉部材１２１０が移動することになる。以上のように本構成例によれば、単一の駆動源で複数の扉を異なる方向に開閉させることができる。
【００８７】
〈遮蔽機構付表示装置の構成例７〉
図９に遮蔽機構付表示装置の他の構成例を示す。本構成例７の遮蔽機構１３００は、モーターＭと、モーターＭの回転軸に取り付けられる軸固着部１３１１を備える略扇形の遮蔽板１３１０とで構成されている。遮蔽機構１３００は、各々がＬＣＤ６００の表示領域の対角線上に設けられている。一方の遮蔽機構１３００が、モーターＭの回転により上方から表示領域を遮蔽するのに対して、他方の遮蔽機構１３００は、下方から表示領域を遮蔽するようになっている。すなわち、本構成例においては、表示領域を通過する軌道上を含み正逆回転可能な回転板たる遮蔽板１３１０と、この遮蔽板１３１０を回転させる駆動手段たるモーターＭによって、表示領域の遮蔽および開放を制御できる。遮蔽機構１３００は、各々の遮蔽板同士が干渉しないように前後方向にずらして設置されている。
【００８８】
〈遮蔽機構付表示装置の構成例８〉
図１０に遮蔽機構付表示装置の他の構成例を示す。本構成例８の遮蔽機構１４００は、図９の構成例７における遮蔽板を複数に分割し、各々を連結することで１枚の遮蔽板となるようになっている。
【００８９】
具体的には、本構成例８の遮蔽機構１４００は、遮蔽板１４１０、１４２０、１４３０の３枚で構成されている。３枚の遮蔽板の内、モーターＭの駆動軸に固定され、モーターＭの回転に従って回転するのは、遮蔽板１４１０のみであり、他の遮蔽板１４２０，１４３０は、モーターＭの駆動軸に装着されるものの回転自在になっている。遮蔽板１４１０〜１４３０の先端部には、扇形状に沿って長孔１４１１〜１４３１がそれぞれ設けられている。遮蔽板１４１０には、遮蔽板１４２０の長孔１４２１を連通してピン１４４０が装着される。また遮蔽板１４２０には、遮蔽板１４３０の長孔１４３１を連通してピン１４４０が装着される。さらに、各々の遮蔽板には、ピン１４４０の頭部が他の遮蔽板と干渉しないように逃げ１４１３〜１４３３が設けられている。このため、各々の遮蔽板は、完全に重ねて収納できるようになっている。
【００９０】
遮蔽機構１４００が非作動時の場合は、全ての遮蔽板１４１０〜１４３０は、表示領域の下方に重なった状態で収容されている。モーターＭを駆動すると、遮蔽板１４１０が表示領域を遮るために下方からせり上がってくる。しかし、他の遮蔽板１４２０、１４３０は、モーターＭの駆動軸に固定されていないので、下方に収納されたままの状態を維持している。やがて、遮蔽板１４１０が回転し、遮蔽板１４１０に装着されているピン１４４０が遮蔽板１４２０の長孔１４２１の上端部までくるとピン１４４０によって遮蔽板１４２０がせり上がってくる。同様にして遮蔽板１４２０がせり上がり、遮蔽板１４３０をピン１４４０により引き上げる。以上のようにして３枚の遮蔽板１４１０〜１４３０により表示領域を遮蔽する。すなわち、本構成例においては、表示領域を通過する軌道上を含み正逆回転可能な回転板である複数の遮蔽板１４１０〜１４３０と、これら遮蔽板１４１０〜１４３０を回転させる駆動手段たるモーターＭによって、表示領域の遮蔽および開放を制御できる。しかも、これら遮蔽板１４１０〜１４３０は重合して収納されていると共に、隣設した前記遮蔽板同士を所定の回転角度で互いに係止して連結する係止手段として長孔１４２１およびピン１４４０を形成し、一つの回転板として遮蔽板１４１０をモーターＭにて回転させることで、他の遮蔽板１４２０，１４３０が追随して回転することとなる。
【００９１】
なお、本構成例では、ＬＣＤ６００の表示領域における左右両側下方部に回転軸が位置するように、遮蔽機構１４００を左右一対設けて、両方の遮蔽機構１４００が作動した時に表示流域が全て遮蔽されるものとしたが、例えば、遮蔽板１４１０〜１４３０の径を大きくすることで、一方の遮蔽機構１４００のみで表示領域の遮蔽を行える構造としても良い。
【００９２】
〈遮蔽機構付表示装置の構成例９〉
図１１に他の遮蔽機構付表示装置の構成例を示す。本構成例９では、遮蔽機構２０００として、扉形（例えば、障子）形状のシール２０１１を貼り付けた透明な無端シートベルト２０１０と、シートベルト２０１０をガイドするための案内ロール２０２０，２０３０，２０４０，２０５０により、横方向にＬＣＤ６００を二重に囲うような構成とした。
【００９３】
左右端の案内ロール２０２０（例えば、外側の無端シートベルト２０１０に対応するロール２０２０は左側、内側の無端シートベルト２０１０に対応するロール２０２０は右側）には、各々の無端シートベルト２０１０を駆動するモーターＭが装着され、無端シートベルト２０１０を循環駆動できるようになっている。案内ロール２０３０，２０４０，２０５０は、無端シートベルト２０１０をガイドすると共に所定の張力を掛ける図示しない付勢手段を備えている。無端シートベルト２０１０は、ＬＣＤ６００の前面で重なるように配置されている。
【００９４】
右扉に相当する無端シートベルト２０１０が内側で循環ループを形成し、左扉に相当する無端シートベルト２０１０が外側で循環ループを形成する。モーターＭを駆動させることで無端シートベルト２０１０を循環移動させ、扉シール２０１１が表示領域を遮蔽したり開放したりする。
【００９５】
すなわち、本構成例においては、透光性を有するシートで構成した無端シートベルト２０１０にシール２０１１を貼り付けて遮蔽手段と成し、無端シートベルト２０１０を循環案内ロール２０２０〜２０５０によって、遮蔽手段を表示領域の前面で直線往復移動させて、表示領域の遮蔽と開放を制御できる。なお、無端シートベルト２０１０の扉シール２０１１以外の領域に他のキャラクタ等のシールを設けて表示させることもできる。
【００９６】
〈遮蔽機構付表示装置の構成例１０〉
図１２に遮蔽機構付表示装置の他の構成例を示す。本構成例１０では、上述した図１１の構成例と同様な無端シートベルト２０１０を縦巻でＬＣＤ６００を覆うように遮蔽機構２０００′として設け、扉形（例えば、シャッター）形状のシール２０１１を貼り付けた透明な無端シートベルト２０１０と、シートベルト２０１０をガイドするための案内ロール２０２０，２０３０，２０４０，２０５０と、案内ロール２０２０と駆動するモーターＭにより構成した。すなわち、本構成例においても、透光性を有するシートで構成した無端シートベルト２０１０にシール２０１１を貼り付けて遮蔽手段と成し、無端シートベルト２０１０を循環案内ロール２０２０〜２０５０によって、遮蔽手段を表示領域の前面で直線往復移動させて、表示領域の遮蔽と開放を制御できる。また、縦方向にシートベルト２０１０を配置することで上下方向の扉の移動を表現することができるので、遊技台の構成上、高さ方向に制限がある場合でも、上下方向に表示領域を遮蔽・開放する表現を実現できる。
【００９７】
〈遮蔽機構付表示装置の構成例１１〉
図１３に遮蔽機構付表示装置の他の構成例を示す。本構成例１１では、遮蔽機構３０００として、一対の扉部材３０１０をＬＣＤ６００の表示面における左右に各々配しそれぞれの扉部材３０１０の外側縁（左側の扉部材３０１０では左側縁、右側の扉部材３０１０では右側縁）に設けた垂直軸で回転運動させることにより、左右の扉部材３０１０を観音開きさせることができるようにした。すなわち、本構成例においては、表示領域の前面を遮蔽可能な表示手段である扉部材３０１０を、外側方に設けた垂直軸の軸周りに回転可能としておくことで、表示領域の前後方向に揺動させる揺動手段と成し、その揺動制御に基づいて、表示領域の遮蔽と開放を制御できる。
【００９８】
各扉部材３０１０は、個別のモーターＭで駆動されるので、扉部材を個別に開閉させることができる。また、本構成例の遮蔽機構３０００によれば、表示領域で嵐が吹き荒れている表示をさせる際に、扉部材３０１０を小刻みに動かすことで、本当に風で扉が振動しているかのような演出を行わせることができる。また、扉の向こう側からキャラクタが扉にぶつかってくるような表示演出を行わせ、これと連動させて扉を開放する制御を行えば、扉にぶつかった勢いで扉が開いたように見せることもでき、種々の演出表現に遮蔽機構３０００を適用することが可能である。
【００９９】
〈遮蔽機構付表示装置の構成例１２〉
図１４に遮蔽機構付表示装置の他の構成例を示す。本構成例１２の遮蔽機構３１００は、中折れする屈曲式の扉を用いて開閉させる構成になっている。遮蔽機構３１００における扉は、スロットマシン本体に回転可能に固定された固定軸３１１１と、扉を開閉駆動する直動ロッド３１２０の内側縁部に回転可能に突設された移動軸３１１５と、閉状態における固定軸３１１１と移動軸３１１５との略中央に設けられた屈曲軸３１１３と、各軸３１１１，３１１３，３１１５の間を連結する２枚の扉部材３１１０とで構成されている。直動ロッド３１２０には、ラックが設けられておりモーターＭの駆動軸に設けられたピニオンギヤにより、直線往復運動を行わせるようになっている。
【０１００】
上記のように構成した遮蔽機構３１００においては、直動ロッド３１２０が駆動されることにより、移動軸３１１５が直線的に往復移動することとなり、開放制御される場合、移動軸３１１５は固定軸３１１１方向へ移動することとなるが、固定軸３１１１がスロットマシン本体側に固定されて移動できないので、間にある屈曲軸３１１３が後方へ移動することで、２枚の扉部材３１１０が傾動することで、扉が屈曲しつつ固定軸３１１１側へ収容される。
【０１０１】
すなわち、本構成例においては、移動軸３１１５と屈曲軸３１１３と固定軸３１１１が平行な状態を保ったまま移動軸３１１５を固定軸３１１１へ近づけ或いは遠ざける移動手段とてモーターＭにより直動ロッド３１２０を往復直線運動させる構成と成し、この移動軸３１１５の移動制御により、屈曲軸３１１３を介して固定軸３１１１もしくは移動軸３１１５に固定された各扉部材３１１０，３１１０を揺動させ、表示領域の遮蔽と開放を制御できる。ＬＣＤ６００の表示領域を遮蔽する場合は、上記と逆の動作制御を行うことで、扉が広がって遮蔽される。なお、本構成例では、直動ロッド３１２０により移動軸を移動させて、開閉制御をおこなうように構成しているが、固定軸３１１１を直接回転駆動することによっても上記と同様の開閉動作を行わせることができる。
【０１０２】
〈遮蔽機構付表示装置の構成例１３〉
図１５に遮蔽機構付表示装置の他の構成例を示す。本構成例１３では、単一の駆動源を用いて複数の扉を回転運動させることで、ＬＣＤ６００の表示領域を開放制御する構成例である。遮蔽機構３２００は、４枚の扉部材３２１０ａ，３２１０ｂ，３２１０ｃ，３２１０ｄと、扉部材３２１０ａ〜３２１０ｄに各々装着された回転軸３２３０〜３２３３と各回転軸間の動力を伝達するための複数の傘歯歯車３２４０と、単一駆動源としてのモーターＭとで構成されている。
【０１０３】
扉部材３２１０ａ〜３２１０ｄは、各々が表示領域を対角線に沿って区分した三角形形状となっており、表示領域の四側縁に対応した縁部に回転軸３２３０〜３２３３を装着するための取付部３２１１が形成されている。回転軸３２３０〜３２３３は、それぞれ扉部材３２１０ａ〜３２１０ｄの取付部３２１１に嵌合・固着され、回転軸３２３０〜３２３３の回転とともに扉部材３２１０を回転させることができるようになっている。図中の回転軸３２３０〜３２３３が露出している部分に関しては、図示しない回転軸３２３０〜３２３３を回転可能に保持する保持部がスロットマシンの本体側に設けられており、回転軸３２３０〜３２３３を所定の位置に保持できるようになっている。
【０１０４】
回転軸３２３０〜３２３３の端部には、回転軸３２３０〜３２３３の回転力を互いに隣接する回転軸側に伝達するための傘歯歯車３２４０が設けられ、隣接する回転軸間に駆動力を伝達できるように構成されている。そして、扉部材３２１０ａに設けた回転軸３２３０の一端部（例えば、下方端部）にはモーターＭが装着されている。したがって、モーターＭを駆動して回転軸３２３０を回転させることで、傘歯歯車３２４０を介して、回転軸３２３１〜３２３３全てに回転力が伝達される。
【０１０５】
図１６に、本構成例１３の遮蔽機構３２００の動作説明図を示す。モーターＭが、回転軸３２３０を回転させると、この回転軸３２３０の回転に伴って扉部材３２１０ａを手前側へ回転させる。同時に回転軸３２３０の端部に設けられた傘歯歯車３２４０が、隣接する回転軸３２３１に設けられた傘歯歯車３２４０に回転力を伝達すると、回転力を伝達された側の回転軸３２３１が同様に回転し、これに伴って扉部材３２１０を手前側へ回転させる。同様にして、回転力が順次、回転軸３２３２、３２３３に伝達され、扉部材３２１０ｃ，３２１０ｄを手前側へ回転させる。斯くして、花が開くように扉部材３２１０ａ〜３２１０ｄが回転して、表示領域が現れるような開放制御を行える。なお、モーターＭを逆回転させれば、扉部材３２１０ａ〜３２１０ｄが表示領域の前面側へ回転して行くので、遮蔽制御が行われる。
【０１０６】
本構成例においては、表示領域の前面を遮蔽可能な表示手段である４つの扉部材３２１０ａ〜３２１０ｄを、表示領域の外側方に設けた回転軸３２３０〜３２３３の軸周りに回転可能としておくことで、表示領域の前後方向に揺動させる揺動手段と成し、その揺動制御に基づいて、表示領域の遮蔽と開放を制御できる。なお、本構成例では単一のモーターＭによる開閉制御を行うものとしたがが、これに限らず、各扉部材３２１０ａ〜３２１０ｄに各々モーターＭを装着して、個別に開閉を行わせたり、２枚一組で開閉制御するように構成しても良い。
【０１０７】
〈遮蔽機構付表示装置の構成例１４〉
図１７に遮蔽機構付表示装置の他の構成例を示す。本構成例１４の遮蔽機構３３００は、直接的に扉を駆動して開閉制御を行うものではなく、他の駆動体を駆動制御することで、間接的に扉を開閉させる構成である。
【０１０８】
遮蔽機構３３００は、図１３の構成例１１と同様に、表示領域を挟んで一対の扉部材３３１０がスロットマシン本体側に軸着された回転軸３３１１により観音開き状に開放できるように配置されている。しかし、各扉部材３３１０は、扉部材３３１０自体を駆動するモーター等の駆動源は設けない。代わりに、図示しない付勢手段によりＬＣＤ６００側に付勢され、扉が閉鎖されている状態を維持させる。
【０１０９】
一方、ＬＣＤ６００には、ＬＣＤ６００の両側部に表示領域より前方に突出させた状態でローラー３３２０が配置されている。ローラー３３２０と扉部材３３１０との接触位置は扉部材３３１０の回転軸３３１１より内側に位置するように設定されている。また、ＬＣＤ６００の背面底部には、ＬＣＤ６００自体を扉部材３３１０方向に前後移動させるためのラック３３３０と図示しないＬＣＤ６００を案内する案内部材等が設けられている。ラック３３３０には、ラック３３３０を駆動するためのモーターＭがスロットマシン本体側に固定されている。モーターＭを駆動することでラック３３３０に駆動力が伝達され、ＬＣＤ６００が扉部材３３１０側に移動させることができる。
【０１１０】
図１８に本構成例の遮蔽機構３３００の動作説明図を示す。モーターＭを駆動することにより、ラック３３３０を介してＬＣＤ６００が扉部材３３１０側にせり出してくる。扉部材３３１０は、ＬＣＤ６００に設けられたローラー３３２０によって、押し出されることで、図示しない付勢手段の付勢力に打ち勝って扉部材３３１０を回転させる。扉部材３３１０はローラー３３２０の押出し力により開放される。同時にＬＣＤ６００が遊技者側にせり出してくるのでインパクトのある動作とすることができる。所定の演出が終了すると、ＬＣＤ６００は、モーターＭにより再び、元の位置へと引き戻され、扉部材３３１０の回転軸位置を通り過ぎたときに扉部材３３１０が付勢手段により付勢されて閉鎖し、図１７の元の状態（表示領域を遮蔽した状態）に復帰する。
【０１１１】
すなわち、本構成例においては、表示領域の前後方向に揺動させるために遮蔽手段である扉部材３３１０に設けた揺動軸たる回転軸３３１１と、回転軸３３１１を回転中心として表示装置たるＬＣＤ６００の前面へ付勢する付勢手段と、ＬＣＤ６００に設けたラック３３３０とモーターＭから成る移動手段（ＬＣＤ６００を扉部材３３１０のある前側に移動させる移動手段）を設け、ＬＣＤ６００を前へ押出すことで扉部材３３１０を揺動させる揺動手段として機能させるものとし、ＬＣＤ６００の前後動に基づく扉部材３３１０の揺動により、表示領域の遮蔽と開放を制御できる。以上のように、本構成例では、扉部材を直接的に駆動制御することなく扉の開閉制御を行わせることができる。
【０１１２】
〈遮蔽機構付表示装置の構成例１５〉
図１９に遮蔽機構付表示装置の他の構成例を示す。本構成例１５では、遮蔽機構４０００を円板で構成している。ＬＣＤ６００の上下にＬＣＤ６００の表示領域を遮るように一対の透過性のある円板４０１０を配置し、各々の円板４０１０をモーターＭで回転駆動する。円板４０１０の表面には、遮蔽領域４０１１が印刷若しくはシール等で設けられている。本構成例によれば、単純な直線運動で行われる遮蔽動作とは趣向の異なる回転運動による遮蔽動作を行わせることができる。すなわち、本構成例においては、表示領域を通過する軌道上を含み正逆回転可能な回転板たる円板４０１０と、この円板４０１０を回転させる駆動手段としてのモーターＭとを回転手段と成し、遮蔽領域４０１１を設けた円板４０１０の回転制御に基づいて、表示領域の遮蔽と開放を制御できる。
【０１１３】
〈遮蔽機構付表示装置の構成例１６〉
図２０に遮蔽機構付表示装置の他の構成例を示す。本構成例１６は図１９の構成例１５に類似したもので、円板式の遮蔽機構４１００は、柔軟性のある透明素材を円板状にしたシート４１１０を用い、シート４１１０の周囲をシート案内部材４１２０でガイドする構成となっている。図示を省略した遮蔽領域が形成されるシート案内部材４１２０は、丁度、シート４１１０の回転中心よりの上方で緩やかに９０度に折り曲げられており、柔らかいシート４１１０は、シート案内部材４１２０に沿って９０度に折れ曲がった状態のまま回転運動を行う。本構成例において、柔軟性のあるシート４１１０と、シート４１１０を案内するシート案内部材４１２０とで円板式の遮蔽手段４１００を構成することで、上下方向に設計上の高さ制限（高さＨ以内）があっても、回転半径の大きな円板を設置することができる。
【０１１４】
〈遮蔽機構付表示装置の構成例１７〉
図２１に遮蔽機構付表示装置の他の構成例を示す。本構成例１７の遮蔽機構５０００は、リールユニットの内側にＬＣＤ６００を配置したものとなっている。リールユニットは、モーターＭの駆動軸に取り付けられたリール枠５０２０と、リール枠５０２０の周囲に透光性を有するリール帯５０１０を貼り付けて構成される。リール帯５０１０には、ＬＣＤ６００の表示領域を遮蔽するための扉等を構成する遮蔽領域５０１１が印刷若しくは貼り付けられている。モーターＭを回転させることでリール枠５０２０を回転させ、遮蔽領域５０１１でＬＣＤ６００の表示領域を遮蔽したり開放したりすることができる。本構成例においては、表示領域を所定の範囲に渡り遮蔽可能な遮蔽手段たるリール帯５０１０を表示領域の前方で移動させるリールユニットで回転させ、リール帯５０１０に形成した遮蔽領域５０１１の位置に基づいて、表示領域の遮蔽と開放を制御できる。
【０１１５】
〈遮蔽機構付表示装置の構成例１８〉
図２２に遮蔽機構付表示装置の他の構成例を示す。本構成例１８の図２１の構成例１５におけるリールユニットを小型にして、ＬＣＤ６００の前面側に配置したものである。左右一対の遮蔽機構５０００ａ，５０００ｂは、夫々モーターＭの駆動軸に取り付けられたリール枠５０２０と、リール枠５０２０の周囲に透光性を有するリール帯５０１０を貼り付けて構成される。リール帯５０１０には、ＬＣＤ６００の表示領域を遮蔽するための扉等を構成する遮蔽領域５０１１が印刷若しくは貼り付けられている。モーターＭを回転させることでリール枠５０２０を回転させ、遮蔽領域５０１１でＬＣＤ６００の表示領域を遮蔽したり開放したりすることができる。なお、本構成例においては、弧状のリール帯５０１０を透かして表示領域を見せることとなるので、若干視認性が悪くなるものの、画面が暈けたり歪んだように見せる演出に好適である。本構成例においても、表示領域を所定の範囲に渡り遮蔽可能な遮蔽手段たるリール帯５０１０を表示領域の前方で移動させるリールユニットで回転させ、リール帯５０１０に形成した遮蔽領域５０１１の位置に基づいて、表示領域の遮蔽と開放を制御できる。
【０１１６】
〈遮蔽機構付表示装置の構成例１９〉
図２３に遮蔽機構付表示装置の他の構成例を示す。本構成例１９では、遮蔽手段５１００は、揺動部材５１１０と、該揺動部材５１１０を回転させるモーターＭとで構成されている。揺動部材５１１０は、断面が弧状の板材である遮蔽板５１１２と、該遮蔽板５１１２とモーターＭの回転軸とを連結するアーム部材５１１１とで構成されている。遮蔽板５１１２は、その回転半径に沿って湾曲した形状になっている。これにより、遮蔽版５１１２は、モーターＭの回転に伴って一定の回転軌跡を描きつつＬＣＤの表示領域を遮蔽したり開放したりすることとなる。なお、駆動源としては、モーターＭに代えてソレノイド等を用いてもよい。本構成例においては、表示領域の前後方向に揺動させるために遮蔽手段たる遮蔽板５１１２に設けた揺動軸たるアーム部材５１１１と、アーム部材５１１１を回転駆動するための駆動手段たるモーターＭとから揺動手段を構成したので、アーム部材５１１１の駆動による遮蔽板５１１２の位置に基づいて、表示領域の遮蔽と開放を制御できる。
【０１１７】
〈遮蔽機構付表示装置の構成例２０〉
図２４に遮蔽機構付表示装置の他の構成例を示す。本構成例２０では、遮蔽機構６０００は、遮蔽部材としての柔軟なシート６０１０と、該シート６０１０を上下方向に移動させるための移動機構とで構成されている。シート６０１０は、布やビニール等の柔らかく折り畳める素材であればよく、その上縁部はスロットマシン本体に固定されている。また、シート６０１０の両側は、所定間隔毎に移動機構のワイヤー６０４０を挿通するための孔６０１１が複数設けられている。移動機構のワイヤー６０４０は、孔６０１１にシート６０１０の表から裏、シート６０１０の裏から表と交互に挿通しておくことで、シート６０１０を蛇腹状に折り畳めるようになっている。
【０１１８】
移動機構は、表示領域の上部に表示領域を跨いで設けられ、モーターＭにより駆動される主動軸６０２０と、表示領域の下部に表示領域を跨いで設けられた従動軸６０３０と、主動軸６０２０と従動軸６０３０とに表示領域の両側にあたる位置にそれぞれ設けられた一対の滑車６０３５と、主動軸６０２０と従動軸６０３０との対応する位置に設けられた滑車６０３５同士に渡って張られたワイヤー６０４０とで構成されている。
【０１１９】
各ワイヤー６０４０には、シート６０１０の最下部にあたる孔６０１１の位置にシート６０１０を固定するための固定部材６０４１が取り付けられており、固定部材６０４１によりワイヤー６０４０に固定されたシート６０１０の下部は、ワイヤー６０４０の動きに追随して動くこととなる。
【０１２０】
そして、モーターＭを駆動すると、主動軸６０２０が駆動され滑車６０３５が回転し、ワイヤー６０４０が循環する。ワイヤー６０４０には、シート６０１０の下方部が固定されているため、ワイヤー６０４０の循環によりシート６０１０も一緒に移動することとなる。シート６０１０の上縁部はスロットマシン本体に固定されているので、ワイヤー６０４０の循環に追随することはなく、シート材６０１０の各孔６０１１へのワイヤー６０４０の挿通方式により、シート６０１０は前後方向へ細かく折り畳まれて行ったり、逆に開いていったりする。したがって、ワイヤー６０４０を下方に循環させることでシート６０１０が表示領域を遮蔽する状態となり、ワイヤー６０４０を上方に循環させることでシート６０１０が蛇腹状に折り畳まれて移動し、ＬＣＤ６００の表示領域が露出する。
【０１２１】
本構成例においては、表示領域を所定の範囲に渡り遮蔽可能な面積を有する幕材たるシート６０１０と、該シート６０１０を表示領域の端部方向（上端）に移動させる移動機構（主動軸６０２０，従動軸６０３０，滑車６０３５，ワイヤー６０４０，モーターＭ等よりなる）を備えるものとしたので、シート材６０１０の巻き上げ状態に基づいて、表示領域の遮蔽と開放を制御できる。なお、従動軸６０３０側であって、シート６０１０下端部の停止位置に両方の固定部６０４１が同位置で当接するストッパーを設けるとよい。ストッパーに固定部６０４１を当接させることで、両方の固定部６０４１の位置にずれが発生しても同じ位置に補正することができるからである。
【０１２２】
〈遮蔽機構付表示装置の構成例２１〉
図２５に遮蔽機構付表示装置の他の構成例を示す。本構成例２１では、遮蔽機構６１００は、表示領域の前面に表示領域に対して所定間隔で配置した遮蔽板６１１０を表示領域に対して回転させることで表示領域を開放するものである。
【０１２３】
本構成例の遮蔽機構６１００は、表示領域の前面に平行に複数（例えば、３本）配置された回転軸６１２０と、各回転軸６１２０に突設された遮蔽板６１１０と、各回転軸６１２０の端部に設けられた平行リンク機構６１３０と、いずれかの回転軸６１２０を回転駆動するモーターＭとで構成されている。
【０１２４】
回転軸６１２０及び遮蔽板６１１０は、表示領域の前面に配置されることから、開放時に遊技者の視界を極力妨げないように表示領域の前面に掛かる部分に関しては、回転軸６１２０は細く、遮蔽板６１１０は薄く形成されている。平行リンク機構６１３０は、各回転軸６１２０の端部に設けられたリンク６１３１と、各リンク６１３１の端部同士を連結して、各リンク６１３１同士を平行に保つための連結部材６１３７とで構成されている。
【０１２５】
平行リンク機構６１３０は、何れか一つの回転軸６１２０（例えば、３つ回転軸のうち中央の回転軸）を回転させた場合、他の回転軸６１２０にも同じ回転力と回転量を伝達することができる。したがって、モーターＭにより一の回転軸６１２０に回転力が伝達された場合、他の全ての回転軸６１２０にも回転力が伝達され、全ての遮蔽板６１１０が連動して動き、遮蔽板６１１０の板面がＬＣＤ６００の表示面にほぼ平行になって表示領域をを遮蔽した状態と、遮蔽板６１１０の板面がＬＣＤ６００の表示面にほぼ垂直になって表示領域を開放した状態とに制御することができる。本構成例においては、表示領域を所定の範囲に渡り遮蔽可能な面積を有する遮蔽手段たる遮蔽板６１１０と、該遮蔽板６１１０を表示領域の表示面に対する回転角度を変化させる駆動機構（遮蔽板６１１０に設けた回転軸６１２０，平行リンク機構６１３０，モーターＭ等よりなる）を備えるものとしたので、表示領域の表示面に対する遮蔽板６１１０の回転角度に基づいて、表示領域の遮蔽と開放を制御できる。
【０１２６】
〈遮蔽機構付表示装置の構成例２２〉
図２６に遮蔽機構付表示装置の他の構成例を示す。本構成例２２では、表示領域を拡縮させる遮蔽機構７０００を示す。遮蔽機構７０００は、内リング７０２０と、該内リング７０２０の外側に摺動可能に設けられた外リング７０３０と、これら外リング７０３０及び内リング７０２０の内側に配置された多数の遮蔽羽７０１０により構成されている。内リング７０２０は、スロットマシン本体側に固定されている。外リング７０３０は、周囲に歯付きベルト７０４０が噛み合わさる歯が形成されている。モーターＭの回転軸には歯付きベルト７０４０が噛み合わされる歯が形成された駆動ギア７０５０を備え、歯付きベルト７０４０を介して外リング７０３０にモーターＭの駆動力が伝達できるように構成されている。
【０１２７】
図２７に、遮蔽機構７０００の動作説明図を示す。本図は、遮蔽機構７０００を表示領域側から見たときの図である。図中、左上に示すように、内リング７０２０及び外リング７０３０の裏側には、複数の遮蔽羽７０１０が設けられている。遮蔽羽７０１０は、図に示すように各々が重なり合うように配置され、その後部は外リング７０３０に等間隔で設けられた固定ピン７０３１に揺動可能に取り付けられている。また、遮蔽羽７０１０には、内リング７０２０に形成されたピン７０３１が挿通される長孔７０１１が形成されている。
【０１２８】
内リング７０２０のピン７０２１と外リング７０３０の固定ピン７０３１とが最も離れている場合は、各遮蔽羽７０１０は両リングの裏面位置に退避しており、表示領域（斜線部）が全開放状態になる。ここで外リング７０３０をモーターＭにより駆動し、内リング７０２０のピン７０２１と外リング７０３０の固定ピン７０３１とを近付ける方向（矢印）に回転させる。外リング７０３０の固定ピン７０３１が内リング７０２０のピン７０２１に近付くにつれて、遮蔽羽７０１０は、内リング７０２０の内側にせり出して表示領域を徐々に減少させる。そして、図中右下に示すように、遮蔽羽７０１０によって表示領域が遮蔽されてゆく。本構成例では、所定の表示領域を全体的に徐々に減少させることができる。
【０１２９】
このように、本構成例によれば、表示手段の表示領域の前面に所定位置を中心位置に放射状に配置された複数の遮蔽部材たる遮蔽羽７０１０と、全ての遮蔽羽７０１０を中心位置から外向きに同一量づつ退避させる移動手段（遮蔽羽７０１０に形成した長孔７０１１，内リング７０２０，外リング７０２０，歯付きベルト７０４０等）を設けたので、遮蔽羽７０１０の退避状態に基づいて、表示領域の遮蔽と開放を制御できる。
【０１３０】
〈遮蔽機構付表示装置の構成例２３〉
図２８に遮蔽機構付表示装置の他の構成例を示す。本構成例２３では、遮蔽機構８０００は、ＬＣＤ６００の表示領域の前面を表示領域の上部より表示領域の幅方向に渡り取付部８０３０より吊り下げられた垂幕８０１０を遮蔽部材としている。
【０１３１】
垂幕８０１０は表示領域の中央で左右それぞれに分割されている。分割された垂幕８０１０は、各々の分割線に沿ってワイヤー８０２０を通すための縫い代部８０１１が形成されている。縫い代部８０１１は、垂幕８０１０の上下端から、分割線の中央部の所定の範囲を除いて形成されている。縫い代部８０１１の内側には上端を固定されたワイヤー８０２０が挿通されている。各ワイヤー８０２０は、分割線中央部の縫い代部８０１１の未形成部分で露出し、直動ロッド８０４０の先端部に形成された孔８０４２に挿通され、再び縫い代部８０１１へ挿通される。直動ロッド８０４０は、図示しない案内部材等によって左右に直線往復運動可能に設けられている。直動ロッド８０４０の後部には、駆動力を伝達するためのラック８０４１が形成され、モーターＭの回転軸に設けられたピニオンギヤＰと噛み合うようになっている。
【０１３２】
図２９に本構成例の動作説明図を示す。モーターＭを駆動して直動ロッド８０４０を駆動させると、先端の孔８０４２に挿通されたワイヤー８０２０が引っ張られる。ワイヤー８０２０は、垂幕８０１０の縫い代部８０１１に挿通されているため垂幕８０１０もともに引っ張られる。このため、垂幕８０１０が開放されて表示領域を露出させることができる。本構成例では、垂幕８０１０に縫い代部８０１１を設けてワイヤー８０２０を介して垂幕８０１０を開閉動作させるので素早い開閉操作であっても垂幕８０１０を正確に開閉動作させることができる。
【０１３３】
このように、本構成例においては、表示領域を所定の範囲に渡り遮蔽可能な面積を有する幕材たる垂幕８０１０と、該垂幕８０１０を表示領域の端部方向（左右両端）に移動させる移動機構（ワイヤー８０２０，直動ロッド８０４０，モーターＭ等よりなる）を備えるものとしたので、垂幕８０１０の左右方向への引き寄せ状態に基づいて、表示領域の遮蔽と開放を制御できる。なお、ワイヤー８０２０としては、可撓性と復元性を兼ね備えた素材が望ましい。また、本構成例では、垂幕８０１０の上部を取付部８０３０に固定しているが、無論、ガイド等を用いて垂幕８０１０を左右方向に移動可能な構成としてもよい。
【０１３４】
〈遮蔽機構付表示装置の構成例２４〉
図２９に遮蔽機構付表示装置の他の構成例を示す。本構成例２４の遮蔽機構９０００は、表示領域の開閉を複数のブロック９０１０を用いて行うものである。具体的には、図に示すようにＬ字型のベース９０２０と、ベース９０２０上に配された複数のブロック９０１０と、各ブロック９０１０を上下方向に連ねて挿通された縦糸９０３０と、縦糸９０３０を巻き取るための縦糸巻取り軸９０４０と、縦糸巻取り軸９０４０を駆動するモーターＭと、Ｌ字型ベース９０２０に設けられた横孔９０２１から各ブロック９０１０を左右方向に連ねて挿通された横糸９０５０と、止着孔９０６１で固定された横糸９０５０を繰り出し引き入れするための揺動軸９０６０と、揺動軸９０６０を所定の角度に揺動するためのモーターＭとで構成されている。
【０１３５】
図３１に本構成例の遮蔽機構９０００の動作説明図を示す。はじめに、横糸９０５０に所定の張力をかけている揺動軸９０６０をＬＣＤ６００側に回転させて横糸９０５０の張力を開放する。横糸９０５０の張力が開放されることで各ブロック９０１０は、縦糸９０３０のみで支持されることになる。次に、縦糸巻取り軸９０４０を縦糸を繰り出す方向にモーターＭを回転させることで縦糸９０３０を繰り出させる。これにより、各ブロック９０１０を連通しているワイヤー９０３０が緩み、ブロック９０１０が崩れて表示領域を露出させる。ブロック９０１０が崩れて表示領域が現れるという従来にない斬新な表示領域の出現形態を行うことができる。
【０１３６】
なお、表示領域を遮蔽する場合は、上記の逆の工程を行えばよい。はじめに縦糸９０３０を巻取り各ブロック９０１０を表示領域の前面に起立、整列させる。次に揺動軸９０６０を回転させ、横糸９０５０に張力を与え、各ブロック９０１０を整列させる。崩れたブロック９０１０が復元されて表示領域を遮蔽する。
【０１３７】
このように、本構成例においては、表示領域の前面に該表示領域の形状に合わせて積み上げられた複数のブロック部材たるブロック９０１０で構成された遮蔽部材と、これらブロック９０１０の所定数毎（横列および縦列毎）にブロック９０１０の内部に挿通され、一定の張力を保持することで表示領域を遮蔽する遮蔽部材としての形態を維持させる柔軟性のある線材たる縦糸９０３０および横糸９０５０と、これら縦糸９０３０および横糸９０５０に一定の張力を与え、或いは張力を開放させる状態変換手段（Ｌ字型のベース９０２０，縦糸巻取り軸９０４０，揺動軸９０６０，モーターＭ等）を設けたので、状態変換手段による縦糸９０３０および横糸９０５０の張力制御により、表示領域の遮蔽と開放を制御できる。
【図面の簡単な説明】
【０１３８】
【図１】本発明に係る遊技台の一実施形態であるスロットマシン（遮蔽機構付表示装置の構成例１を備える）の外観を示す斜視図である。
【図２】スロットマシンの制御ブロック図である。
【図３】スロットマシンに設ける遮蔽機構付表示装置の構成例１を示す外観斜視図である。
【図４】スロットマシンに設ける遮蔽機構付表示装置の構成例２を示す外観斜視図である。
【図５】スロットマシンに設ける遮蔽機構付表示装置の構成例３を示す外観斜視図である。
【図６】スロットマシンに設ける遮蔽機構付表示装置の構成例４を示す外観斜視図である。
【図７】スロットマシンに設ける遮蔽機構付表示装置の構成例５を示す外観斜視図である。
【図８】スロットマシンに設ける遮蔽機構付表示装置の構成例６を示す外観斜視図である。
【図９】スロットマシンに設ける遮蔽機構付表示装置の構成例７を示す外観斜視図である。
【図１０】スロットマシンに設ける遮蔽機構付表示装置の構成例８を示す外観斜視図である。
【図１１】スロットマシンに設ける遮蔽機構付表示装置の構成例９を示す外観斜視図である。
【図１２】スロットマシンに設ける遮蔽機構付表示装置の構成例１０を示す外観斜視図である。
【図１３】スロットマシンに設ける遮蔽機構付表示装置の構成例１１を示す外観斜視図である。
【図１４】スロットマシンに設ける遮蔽機構付表示装置の構成例１２を示す外観斜視図である。
【図１５】スロットマシンに設ける遮蔽機構付表示装置の構成例１３を示す外観斜視図である。
【図１６】スロットマシンに設ける遮蔽機構付表示装置の構成例１３の動作説明図である。
【図１７】スロットマシンに設ける遮蔽機構付表示装置の構成例１４を示す外観斜視図である。
【図１８】スロットマシンに設ける遮蔽機構付表示装置の構成例１４の動作説明図である。
【図１９】スロットマシンに設ける遮蔽機構付表示装置の構成例１５を示す外観斜視図である。
【図２０】スロットマシンに設ける遮蔽機構付表示装置の構成例１６を示す外観斜視図である。
【図２１】スロットマシンに設ける遮蔽機構付表示装置の構成例１７を示す外観斜視図である。
【図２２】スロットマシンに設ける遮蔽機構付表示装置の構成例１８を示す外観斜視図である。
【図２３】スロットマシンに設ける遮蔽機構付表示装置の構成例１９を示す外観斜視図である。
【図２４】スロットマシンに設ける遮蔽機構付表示装置の構成例２０を示す外観斜視図である。
【図２５】スロットマシンに設ける遮蔽機構付表示装置の構成例２１を示す外観斜視図である。
【図２６】スロットマシンに設ける遮蔽機構付表示装置の構成例２２を示す外観斜視図である。
【図２７】スロットマシンに設ける遮蔽機構付表示装置の構成例２２の動作説明図である。
【図２８】スロットマシンに設ける遮蔽機構付表示装置の構成例２３を示す外観斜視図である。
【図２９】スロットマシンに設ける遮蔽機構付表示装置の構成例２３の動作説明図である。
【図３０】スロットマシンに設ける遮蔽機構付表示装置の構成例２４を示す外観斜視図である。
【図３１】スロットマシンに設ける遮蔽機構付表示装置の構成例２４の動作説明図である。
【符号の説明】
【０１３９】
１００  スロットマシン
１１０〜１１２  リール
１１３  リール表示窓
１１４  入賞ライン
１２０  入賞ライン表示ランプ
１２１  スタートランプ
１２２  再遊技ランプ
１２３  告知ランプ
１２４  メダル投入ランプ
１２５  メダル投入枚数表示ランプ
１２６  払出枚数表示器
１２７  遊技回数表示器
１２８  貯留枚数表示器
１２９  演出用ランプ
１３１、１３２  メダル投入ボタン
１３３  メダル投入口ブロック
１３５  スタートレバー
１３６  ストップボタンユニット
１３８  精算ボタン
１３９  キー孔
１５１、１５２  サイドランプ
１５３、１５４  中央ランプ
１５５、１５６  腰部ランプ
１５７、１５８  下部ランプ
１６０  受け皿
１６５  メダル払出口
１７０  灰皿ユニット
１９０  上部ランプ
２０１  キャビネット
３００  主制御部
３１０  ＭａｉｎＣＰＵ
３１１  乱数発生器
３１２、４１１、５２１、５２２  ＲＯＭ
３１３、４１２、５３１  ＲＡＭ
３２０  メダルセンサ
３２１  スタートレバーセンサ
３２２  ストップボタンセンサ
３２３  メダル投入ボタンセンサ
３６０、４３０、入力インターフェース
３３０、４５０、５３０  入出力インターフェース
３３１、５６０モーター制御部
３３２  ホッパー制御部
３４０、３５０、４２０、出力インターフェース
３７０、４７０、５１９  バス
４００  副制御部
４１０  ＳｕｂＣＰＵ
４６０  楽音信号形成部
５００  ＬＣＤ表示制御部
５１０  ＬＣＤ・扉制御用ＳｕｂＣＰＵ
５２０  ＶＤＰ制御用ＳｕｂＣＰＵ
５５０  ＶＤＰ
６００  ＬＣＤ
１０００〜９０００  扉役物付表示装置
【図１】
2005040413.tif 000003
【図２】
2005040413.tif 000004
【図３】
2005040413.tif 000005
【図４】
2005040413.tif 000006
【図５】
2005040413.tif 000007
【図６】
2005040413.tif 000008
【図７】
2005040413.tif 000009
【図８】
2005040413.tif 000010
【図９】
2005040413.tif 000011
【図１０】
2005040413.tif 000012
【図１１】
2005040413.tif 000013
【図１２】
2005040413.tif 000014
【図１３】
2005040413.tif 000015
【図１４】
2005040413.tif 000016
【図１５】
2005040413.tif 000017
【図１６】
2005040413.tif 000018
【図１７】
2005040413.tif 000019
【図１８】
2005040413.tif 000020
【図１９】
2005040413.tif 000021
【図２０】
2005040413.tif 000022
【図２１】
2005040413.tif 000023
【図２２】
2005040413.tif 000024
【図２３】
2005040413.tif 000025
【図２４】
2005040413.tif 000026
【図２５】
2005040413.tif 000027
【図２６】
2005040413.tif 000028
【図２７】
2005040413.tif 000029
【図２８】
2005040413.tif 000030
【図２９】
2005040413.tif 000031
【図３０】
2005040413.tif 000032
【図３１】
2005040413.tif 000033